(57)【要約】【課題】子機側の音声や周囲の音も確実にモニターすることができるハンズフリーインターフォン装置を実現する。【解決手段】音声を入力するマイク４と、相手側の前記マイクから入力された音声を出力するスピーカー３と、操作を行う入力手段５、６と、通話方法を切替える通話方法切替え手段１３を有し、これによってインターフォン装置は、ハンズフリー通話機能を備えると共に入力手段５、６により利用者が通話方法をモニター通話機能に切替えることで通話方法切替え手段１３によりモニター通話に切替わるので、通常はハンズフリー通話機能で使用し必要なときだけモニター通話機能にする、といったように使用目的や家族構成、使い方の好みに合わせて選択でき、利用者の使い勝手を高めることができる。またその場の状況に合わせたインターフォン通話機能を実現することができる。【選択図】図２
2005354160.tif 000002
【特許請求の範囲】
【請求項１】
親機と子機との間で通話を行うインターフォン装置であって、前記インターフォン装置は、音声を入力するマイクと、相手側のマイクから入力された音声を出力するスピーカーと、操作を行う入力手段と、通話方法を切替える通話方法切替え手段を有し、前記インターフォン装置は、前記通話方法が、ハンズフリー通話機能と子機側の音声または子機側の周囲の音をモニターするモニター通話機能の両方を備え、前記入力手段で所定の操作を行うことで前記通話方法切替え手段によりハンズフリー通話機能とモニター通話機能を切替えることができることを特徴とするインターフォン装置。
【請求項２】
親機側の通話機能が子機側の音声または子機側の周囲の音をモニターするモニター通話機能に設定されている際には、親機側の入力手段を用いで所定の操作を行いながら話すことで、親機側からも送話が行えることを特徴とする請求項１に記載のインターフォン装置。
【請求項３】
インターフォン装置の設定情報やエラー情報などを表示する表示手段を有し、前記表示手段は前記インターフォン装置の通話機能設定の状態を表示することを特徴とする請求項１または２に記載のインターフォン装置。
【請求項４】
現在の通話状態を報知する通話状態モード報知手段を有し、自分側から通話しているときには、送話中であることを前記通話状態モード報知手段に報知することを特徴とする請求項１から３いずれか１項に記載のインターフォン装置。
【請求項５】
ハンズフリー通話機能は、相手側から送話しているときは自分側から送話することができずどちらか一方向からのみの送話が可能なものであり、通話状態モード報知手段は、現在の通話状態が自分側から通話している送話モードか、相手側からの通話を受けている受話モードか、どちらのインターフォン装置からも送話可能な通話待ちモードかを報知し、現在の通話モードの状態を利用者に報知することを特徴とする請求項１から４いずれか１項に記載のインターフォン装置。
【請求項６】
通話の有無を確認する通話検知手段と、前記通話検知手段により双方からの通話が確認されなくなってからの時間を測定するタイマーと、ハンズフリー通話機能を終了するまでの所定の時間を記憶する記憶手段を有し、ハンズフリー通話機能は、前記タイマーにより双方からの通話が確認されなくなってからの時間が前記記憶手段に記憶している所定の時間を超えると、ハンズフリー通話機能を終了することを特徴とする請求項１から５いずれか１項に記載のインターフォン装置。
【請求項７】
インターフォン装置の設定内容を変更する設定内容変更手段を有し、前記設定内容変更手段により、記憶手段に記憶している双方からの通話が確認されなくなってからハンズフリー通話機能を終了するまでの時間を入力手段を用いて利用者が設定変更したり、ハンズフリー通話機能を終了する機能を無効とすることが可能であることを特徴とする請求項６に記載のインターフォン装置。
【請求項８】
タイマーによってハンズフリー通話が開始されてからの時間を測定し、測定した時間が記憶手段に記憶している所定の時間を超えると、ハンズフリー通話機能を終了するインターフォン装置において、表示手段は、ハンズフリー通話機能を終了する際にハンズフリー通話が終了することを報知する、またはハンズフリー通話の報知状態を変化させることを特徴とする、請求項１から５いずれか１項に記載のインターフォン装置。
【請求項９】
ハンズフリー通話時間を延長する通話延長入力手段を有し、前記通話延長入力手段を操作することでハンズフリー通話機能を終了するまでの時間を延長することができることを特徴とする請求項８に記載のインターフォン装置。
【請求項１０】
ハンズフリー通話機能を終了する際に、通話検知手段が通話中であることを検知している場合はハンズフリー通話を終了する時間を延長し、通話が終了したことを検知したらハンズフリー通話機能を終了することを特徴とする請求項８に記載のインターフォン装置。
【請求項１１】
給湯や風呂の給湯、追いだきを行う燃焼機器を有し、インターフォン装置とは子機は浴室に設置され前記燃焼機器を遠隔操作する浴室リモコンであり、親機は台所やリビングなどに設置され前記燃焼機器を遠隔操作する台所リモコンであることを特徴とする請求項１から１０いずれか１項に記載のインターフォン装置。
【発明の詳細な説明】
【技術分野】
【０００１】
本発明は、親機と子機との間で通話を行うインターフォン装置に関するものである。
【背景技術】
【０００２】
従来インターフォン装置は、いわゆるハンズフリー通話用ＩＣを用いたり、レベル検知用ＩＣなどを用いて、双方から入力される音声信号のレベルを比較し、音量の大きなどちらか一方向の音声のみの通話が可能であるインターフォン装置などがある（例えば、特許文献１参照）。
【特許文献１】特開２００２−３３０２２６号公報
【発明の開示】
【発明が解決しようとする課題】
【０００３】
しかし、上述したように、前記従来の構成では、片方のインターフォン装置の周囲で例えばテレビやラジオの音などが比較的大きな音量で流れているような場合、常に片方のインターフォン装置側からしか送話できないという問題がある。
【０００４】
また、台所やリビングと浴室に設置される燃焼機器のリモコンに付加されているインターフォン機能などの場合は、浴室側の安全モニターなどの目的も果たしており、常に台所やリビング側からしか通話できないような状況になると、浴室側の状況が分からなくなるという問題がある。
【課題を解決するための手段】
【０００５】
前記従来の課題を解決するために、本発明のインターフォン装置は、音声を入力するマイクと、相手側の前記マイクから入力された音声を出力するスピーカーと、操作を行う入力手段と、通話方法を切替える通話方法切替え手段を有し、通話方法がハンズフリー通話機能と、子機側の音声または子機側の周囲の音をモニターするモニター通話機能の両方を備えており、前記入力手段により利用者がハンズフリー通話機能とモニター通話機能を自由に選択し切替えることができるものである。
【０００６】
これによって本発明は、利用者の使用目的に合わせて、利用者自身が通話方法をハンズフリー通話機能かモニター通話機能かを自由に選択することができる。
【発明の効果】
【０００７】
本発明のインターフォン装置は、利用者自身が通話方法をハンズフリー通話機能かモニター通話機能か選択することができるので、例えば通常はハンズフリー通話機能で使用し、子供や高齢者などが入浴しているときなどはモニター通話機能にする、といったように使用目的や家族構成、使い方の好みに合わせて選択できるので、利用者の使い勝手を高めることができる。またその場の状況に合わせたインターフォン通話機能を実現することができる。
【発明を実施するための最良の形態】
【０００８】
第１の発明は、親機と子機との間で通話を行うインターフォン装置であって、前記インターフォン装置は、音声を入力するマイクと、相手側のマイクから入力された音声を出力するスピーカーと、操作を行う入力手段と、通話方法を切替える通話方法切替え手段を有し、前記インターフォン装置は、前記通話方法が、ハンズフリー通話機能と子機側の音声または子機側の周囲の音をモニターするモニター通話機能の両方を備え、前記入力手段で所定の操作を行うことで前記通話方法切替え手段によりハンズフリー通話機能とモニター通話機能を切替えることができることを特徴とするインターフォン装置であり、上記構成、動作によると、利用者自身が通話方法をハンズフリー通話機能かモニター通話機能か選択することができるので、例えば通常はハンズフリー通話機能で使用し、子供や高齢者などが入浴しているときなどはモニター通話機能にする、といったように使用目的や家族構成、使い方の好みに合わせて選択できで、利用者の使い勝手を高めることができる。またその場の状況に合わせたインターフォン通話機能を実現することができる。
【０００９】
第２の発明は、第1の発明において、親機側の通話機能設定が子機側の音声または子機側の周囲の音をモニターするモニター通話機能に設定されている際には、親機側の入力手段を用いで所定の操作を行いながら話すことで、親機側からも送話が行えることを特徴とするインターフォン装置であり、上記構成、動作によると、ハンズフリー通話機能を備えるとともに、子機側の音声または周囲の音をモニターする機能を備えており、子機側の音声または周囲の音をモニターしている際に、親機側の入力手段を用いて所定の操作をしながら話す（例えば押しながら話すプレストークなどの）方法により、子機側のモニター中も親機側から送話することが出来るので、モニター通話機能中でもインターフォンとしての機能を損なうことがない。
【００１０】
第３の発明は、第1の発明、または第２の発明において、インターフォン装置の設定情報やエラー情報などを表示する表示手段を有し、前記表示手段は前記インターフォン装置の通話機能設定の状態を表示することを特徴とするインターフォン装置であり、上記構成、動作によると、インターフォン装置の画面上などに、現在ハンズフリー通話機能中なのか、モニター通話機能中なのかを表示するので、利用者が現在どちらの通話機能設定なのかを容易に知ることができるので、利用者が使いながらどちらの設定になっているのか分からず、混乱するといったことを防ぐことができる。
【００１１】
また、モニター通話機能中に親機側から送話する際には、所定の操作をしながら話をすることで送話できるような場合、利用者が現在ハンズフリー通話機能中だと思いこんでいて、実際は送話できていないといった不具合を防止することができる。
【００１２】
第４の発明は、第１〜第３いずれか１つの発明において、現在の通話状態を報知する通話状態モード報知手段を有し、自分側から通話しているときには、前記通話状態モード報知手段に自分側から送話中であることを報知することを特徴とするインターフォン装置であり、上記構成、動作によると、自分側から送話している際前記通話状態モード報知手段に送話中であることを報知するので自分の話していることが相手側に送話されていることを確認できるので使い勝手が向上する。
【００１３】
第５の発明は、第１〜第４いずれか１つの発明において、ハンズフリー通話機能は、相手側から送話しているときは自分側から送話することができずどちらか一方向からのみの送話が可能なものであり、通話状態モード報知手段は、現在の通話状態が自分側から通話している送話モードか、相手側からの通話を受けている受話モードか、どちらのインターフォン装置からも送話可能な通話待ちモードかを報知し、現在の通話モードの状態を利用者に報知することを特徴とするインターフォン装置であり、上記構成、動作によると、双方向からの同時通話ができないインターフォン装置の場合、前記通話状態モード報知手段に、現在自分側のインターフォン装置が受話中であるのか、送話中であるのか、どちら側からでも送話可能な通話待ち中であるのかを報知するので、自分側から送話している際前記通話状態モード報知手段に送話中であることを報知するので自分の話していることが相手側に送話されていることを確認できるので使い勝手が向上する。
【００１４】
また、スピーカーから出力される音量が小さくて相手側から通話してきていることが分からなかったような場合、相手側から通話していることが分からず話をして相手側では受話できていないといった不具合を防ぐことができる。
【００１５】
また、どちら側からでも送話可能な状態、すなわち自分側が話していないときに相手側も話していない通話待ち中であることも表示するので、話したいときに送話できる常態か視覚的に確認できるので使い勝手が向上する。
【００１６】
第６の発明は、通話の有無を確認する通話検知手段と、前記通話検知手段により双方からの通話が確認されなくなってからの時間を測定するタイマーと、ハンズフリー通話機能を終了するまでの所定の時間を記憶する記憶手段を有し、ハンズフリー通話機能は、前記タイマーにより双方からの通話が確認されなくなってからの時間が前記記憶手段に記憶している所定の時間を超えると、ハンズフリー通話機能を終了することを特徴とするインターフォン装置であり、上記構成、動作によると、前記通話検知手段により通話音声の有無を確認し、前記通話検知手段により親機、子機双方からの通話がなくなったことを検知し、通話がなくなってからの時間を前記タイマーで測定し、前記タイマーで測定した時間が予め前記記憶手段に記憶している設定値より長くなると通話は終了していると判断し、ハンズフリー通話を終了するので、通話を終了する際にも利用者は前記インターフォン装置を操作する必要がない。
【００１７】
第７の発明は、第６の発明において、インターフォン装置の設定内容を変更する設定内容変更手段を有し、前記設定内容変更手段により、記憶手段に記憶している双方からの通話が確認されなくなってからハンズフリー通話機能を終了するまでの時間を入力手段を用いて利用者が設定変更したり、ハンズフリー通話機能を終了する機能を無効とすることが可能であることを特徴とするインターフォン装置であり、上記構成、動作によると、前記設定内容変更手段により前記記憶手段に記憶しているハンズフリー通話機能を終了するまでの時間を、利用者が前記入力手段を使って変更することができるので、ハンズフリー通話を終了するまでの時間を短くしたり長くしたり、またはハンズフリーは自動終了しないといった設定まで可能にすることで、利用者の好みや使い勝手に合わせたインターフォン装置を提供することができる。
【００１８】
第８の発明は、第１〜第５のいずれか１つの発明において、タイマーはハンズフリー通話が開始されてからの時間を測定し、測定した時間が記憶手段に記憶している所定の時間を超えると、ハンズフリー通話機能を終了するインターフォン装置において、表示手段は、ハンズフリー通話機能を終了する際にハンズフリー通話が終了することを報知する、またはハンズフリー通話の報知状態を変化させることを特徴とするインターフォン装置であり、上記構成、動作によると、ハンズフリー通話が開始してからの時間を前記タイマーが測定し、所定の時間以上になりハンズフリー通話を自動終了する際に、前記表示手段にハンズフリー通話が終了することを報知またはハンズフリー通話の報知状態を変化させるので、ハンズフリー通話中に突然通話が終了し通話ができなくなるといった不具合を改善することができる。
【００１９】
第９の発明は、第８の発明において、ハンズフリー通話時間を延長する通話延長入力手段を有し、前記通話延長入力手段を操作することでハンズフリー通話機能を自動終了するまでの時間を延長することができることを特徴とするインターフォン装置であり、上記構成、動作によると、ハンズフリー通話が開始してからの時間を前記タイマーが測定し、所定の時間以上になりハンズフリー通話を終了するまでの間に利用者が前記通話延長入力手段を操作することでハンズフリー通話を終了するまでの時間を延長することができるので、通話中に突然通話が終了してしまうといった不具合を改善できると共に、利用者が通話時間を延長できるので利用者の使い勝手を向上させることができる。
【００２０】
第１０の発明は、第８の発明において、ハンズフリー通話機能を終了する際に、通話検知手段が通話中であることを検知している場合はハンズフリー通話を終了する時間を延長し、前記制御手段が通話が終了したことを検知したらハンズフリー通話機能を自動終了することを特徴とする請求項８に記載のインターフォン装置であり、上記構成、動作によると、ハンズフリー通話が開始してからの時間を前記タイマーが測定し、所定の時間以上になりハンズフリー通話を終了する際に、まだ通話の途中で親機側、子機側どちらかが送話し相手側が受話している状態であり、前記制御手段が通話中であることを検出している場合は、ハンズフリー通話を終了せずに終了する時間を延長し、延長している時間中に前記制御手段が通話が終了したことを検知したらハンズフリー通話を終了するので、通話中に突然通話が終了してしまうといった不具合を改善できると共に、特に利用者がハンズフリー通話の終了の時間を延長するための操作を行わなくても、通話を検知している間はハンズフリー通話を終了しないので、利用者の使い勝手を向上させることができる。
【００２１】
第１１の発明は、第１〜第１０いずれか１つの発明においで、給湯や風呂の給湯、追いだきを行う燃焼機器を有し、インターフォン装置とは子機は浴室に設置され前記燃焼機器を遠隔操作する浴室リモコンであり、親機は台所やリビングなどに設置され前記燃焼機器を遠隔操作する台所リモコンであることを特徴とするインターフォン装置であり、前記構成、動作によると、使用目的や家族構成などに合わせて通話機能を選択することができるので、事故などが発生しやすい浴室などで、例えば通常はハンズフリー通話機能で使用し、子供や高齢者などが入浴しているときなどはモニター通話機能にするといったような使用が可能であり、インターフォン機能としてだけでなく浴室の見守り機能としても役割を果たすインターフォンを提供することができる。
【００２２】
以下、本発明の実施の形態について、図面を参照しながら説明する。なお、本実施の形態によって本発明が限定されるものではない。
【００２３】
（実施の形態１）
図１は、本発明の第1の実施の形態におけるインターフォン装置の外観図の例を示すものである。図１において、インターフォン装置の親機１は相手側（インターフォン装置の子機２）から送話されてくる音声や、前記インターフォン装置の親機２のガイダンス音声などを出力するスピーカー３と、音声を入力するマイク４と、インターフォン通話を開始するための入力手段である通話スイッチ５と、前記親機に備えられているその他の入力手段６と、前記インターフォン装置の設定情報やエラー情報などを表示する表示手段７を備えている。インターフォン装置の子機２も形状や機能が異なる場合もあるが、基本的な構成は親機１と同じものとし説明は省略する。
【００２４】
また、図２は、本発明の第１の実施の形態におけるインターフォン装置の構成図の例を示すものである。
【００２５】
図２において、前記インターフォン装置１、２は前記インターフォン装置の動作を制御する制御手段１２と、通話方法をハンズフリー通話機能と子機２側の音声または子機側の周囲の音をモニターするモニター通話機能とを切替える通話方法切替え手段１３と、前記マイク４から入力された音声や周囲の音の増幅などを行う音声入力手段１４と、前記マイク４から音声が入力されたことを検出するための音声入力検知手段１５と、相手側から送話されてきたことを検知するための受話検知手段１６と、インターフォン装置が送話または受話状態にあることを監視する通話検知手段１７と、前記スピーカー３から音声などを出力する必要がないときは音声出力を消音するためのミュート手段１８と、オーディオアンプなどから構成される相手側か送話されてくる音声などを出力する音声出力手段１９を備えている。
【００２６】
またその他に、前記インターフォン装置の設定情報などを記憶する記憶手段２０と、前記制御手段１２からの信号に応じて時間を測定するタイマー２１と、前記記憶手段２０に記憶している設定情報などを変更する設定内容変更手段２２と相手側に音声を出力する音声送信手段２３と、相手側から送信されてきた音声を受信する音声受信手段２４を備えている。そして、伝送線１１によってインターフォン装置１（親機）とインターフォン装置２（子機）が接続されている。
【００２７】
以上のように構成されたインターフォン装置において、その動作、作用について図１、図３、図４、図５を用いて説明する。図３は給湯や風呂の給湯、追いだきを行う燃焼機器３１の遠隔操作を行う給湯機リモコンがインターフォン機能を備える場合のインターフォン装置の構成図の例を示す図である。図３は図２に燃焼機器３１を加えたものである。但し、通常のインターフォン機能のみの端末の場合でも発明の効果は変わらない。
【００２８】
ここでは図１においてインターフォン装置の親機１を台所やリビングに設置される台所リモコンであり、インターフォン装置の子機２を浴室に設置される浴室リモコンであるとして、親機と子機の間でインターフォン通話を行う場合について述べる。
【００２９】
まず、親機１または子機２のどちらかが通話スイッチ５を操作すると、伝送線３を通じて相手側にインターフォン通話を開始する情報が送られ、前記親機１、前記子機２のスピーカー３からインターフォン通話を開始する合図であるメロディーを出力する。前記インターフォン装置１、２は通話方法がハンズフリー通話機能と、浴室リモコン（子機）側の音声、またはその周りの周囲の音をモニターするモニター通話機能を備えているが、前記通話スイッチを操作しただけではまずハンズフリー通話モードとなる。
【００３０】
図３において、例えば親機側で何か話したとすると、前記マイク４から入力された音声が前記音声入力手段１４などで増幅され、前記音声入力検知手段１５により入力された音声レベルが所定のレベル以上であるならば、音声が入力されたことを前記制御手段１２に出力し、前記通話検知手段１７は親機と子機の間で通話が行われている（この場合は、親機から子機への音声通話）ことを検知する。音声レベルが所定のレベル以上であるかどうかは音圧レベル検知ＩＣなどで実現することができる。このとき前記制御手段１２は、前記通話検知手段１７によりどちらからも送話可能な通話待ち状態であることを確認し、つまり子機側も何も話していない状態であるならば、前記音声送信手段２３により増幅し入力された音声データを変調し子機側に送出する。
【００３１】
一方子機側では、通話検知手段１７によりどちらからも送話可能な通話待ち状態の時に、親機側から音声が入力されると音声受信手段２４で音声データを復調し、受話検知手段１６が親機側からの音声データの受信を検知して制御手段１２に出力し、前記通話検知手段１７は親機と子機の間で通話が行われている（この場合は、親機から子機への音声通話）ことを検知する。受話検知手段１７は例えば、音圧レベル検知ＩＣやトランジスタなどを用いて親機側から音声の入力がされたときに出力を反転させるなどの方法で実現できる。制御手段１２では音声データ受信の信号を受けて、スピーカーの出力を消音しているミュート手段１８を操作し音声出力手段１９のミュートを解除しスピーカー３から親機側から話している言葉を出力する。
【００３２】
そして親機側で話すのをやめると音声入力検知手段１５は音声の入力がないことを制御手段１２に出力し、前記制御手段１２は音声送信手段２３による出力を停止する。
【００３３】
一方子機側では受話検知手段１６で親機側からの音声信号を検知しないので親機側からの音声入力が停止したことを制御手段１２に出力する。前記制御手段１２はスピーカーからの出力を消音するためミュート手段１８により音声出力手段１９のミュートをオンにする。
【００３４】
子機側から親機側にハンズフリー通話する場合もその動作は同じであるので説明は省略する。
【００３５】
そしてどちらからのマイクからも音声入力がない場合は、親機子機どちらからも送話可能な通話待ち状態になる。
【００３６】
このようなハンズフリー通話機能を実現するために、一般的にハンズフリーＩＣとかエコーキャンセラーＩＣと呼ばれている専用ＩＣを用いても良いが、一般的にそのような専用ＩＣは比較的高価である。
【００３７】
次に浴室リモコン（子機）側の音声、またはその周りの周囲の音をモニターするモニター通話の場合であるが、まず、親機１または子機２のどちらかが通話スイッチ５を操作すると、伝送線３を通じて相手側にインターフォン通話を開始する情報が送られ、前記親機１、前記子機２のスピーカー３からインターフォン通話を開始する合図であるメロディーを出力する。
【００３８】
このとき、親機１または子機２のどちらかが通話スイッチ５を操作してから所定の時間以内に通話スイッチ５を操作した側で再び通話スイッチ５を所定の操作をすると、通話方法切替え手段１３によりハンズフリー通話機能からモニター通話機能に通話モードを切替える。同時にモニター通話機能にすることを相手側にも信号を送信し、相手側でも通話方法切替え手段１３により通話モードをモニター通話モードに切替える。
【００３９】
但し、このハンズフリー通話モードとモニター通話モードの切替えの方法は一例であり、その他の手段や操作方法を用いても発明の効果は変わらない。例えば、表示手段７がタッチパネルで入力手段としての機能も備えているような場合であるならば、所定の操作を行い通話モードを切替える画面を画面上に呼出し、その設定画面上で通話モードの切替えを行うような手段などが考えられる。
【００４０】
通話モードがモニター通話モードになると、親機子機どちらの通話スイッチ５を操作したかに関わらず子機側からの音声またはその周囲の音を親機側でモニターすることができる。モニター通話中は、マイクからの音声入力を検知する音声入力検知手段１５や相手側から音声信号が送られてきたことを検知する音声受信手段２４の動作は関係なく、子機側のマイクから入力された音声が音声送信手段２３により相手側に出力され、親機側ではミュート手段１８により音声出力手段１９のミュートを解除しておき、スピーカー３から子機側の様子や話を出力する。
【００４１】
さらにモニター通話中に親機側から子機側に話をしたい場合は、例えば親機側の通話スイッチ５を押しながら話す、といった方法などで浴室側への通話も行うことができる。このときの親機側から浴室側へ通話を行う各回路ブロックの動作は今まで述べてきた動作と同じであるので省略する。
【００４２】
図４はハンズフリー通話中のインターフォン装置の画面の例を示す図である。ハンズフリー通話中及びモニター通話中は表示手段７の一部に現在の通話方法がハンズフリー通話であるのかモニター通話であるのかを表示する。
【００４３】
また、図４、図５に示すように、現在の自分側の通話状態が自分側から話している送話状態中であるのか受話状態中であるのか、どちらからも送話可能な状態である通話待ちの状態であるのかを報知する通話状態モード報知手段４１を備えている。
【００４４】
図５は、ハンズフリー通話中で親機、子機どちらからも音声の入力がない場合の通話待ち中の画面表示の例である。ハンズフリー通話中は表示手段７上に「ハンズフリー」といったように利用者に文字やイラストでハンズフリー通話中であることを報知すると共に、通話待ち中は前記通話状態モード表示手段４１には何も表示しないか、通話待ちを表すイラストや文字を表示してもよい。そして、親機１側から子機２側に通話を行っている場合には、制御手段１２により親機１の前記通話状態モード表示手段４１には送話を行っていることを示すようなマイクのイラストなどを表示し、一方子機側は制御手段１２により通話状態モード表示手段４１に受話状態を示すようなスピーカーやヘッドホンなどを表示する。
【００４５】
このように、利用者自身が通話方法をハンズフリー通話機能かモニター通話機能か選択することができるので、例えば通常はハンズフリー通話機能で使用し、子供や高齢者などが入浴しているときなどはモニター通話機能にする、といったように使用目的や家族構成、使い方の好みに合わせて選択できるので、利用者の使い勝手を高めることができる。またその場の状況に合わせたインターフォン通話機能を実現することができる。
【００４６】
また、インターフォン装置の画面上などに、現在ハンズフリー通話機能中なのか、モニター通話機能中なのかを表示するので、利用者が現在どちらの通話機能設定なのかを容易に知ることができるので、利用者が使いながらどちらの設定になっているのか分からず、混乱するといったことを防ぐことができる。
【００４７】
また、通話状態モード報知手段に、現在自分側のインターフォン装置が受話中であるのか、送話中であるのか、どちら側からでも送話可能な通話待ち中であるのかを報知するので、自分が今送話している状態なのか、受話している状態なのかを知ることができ、特にハンズフリー通話モード中に自分が話していることが相手側にも送話されているかどうか送話している側では分からないが、前記通話モード状態報知手段に送話していることを表す「マイク」などのイラストを表示することで自分の話していることが相手側に送話されていることを視覚的に確認できるので使い勝手が向上する。また、スピーカーから出力される音量が小さくて相手側から通話してきていることが分からなかったような場合、相手側から通話していることが分からず話をして相手側では受話できていないといった不具合を防ぐことができる。
【００４８】
また、給湯機などの燃焼機器の遠隔操作を行うリモコンでハンズフリー通話とモニター通話を両方行えるようにすることで、使用目的や家族構成などに合わせて通話機能を選択することができるので、事故などが発生しやすい浴室などで、例えば通常はハンズフリー通話機能で使用し、子供や高齢者などが入浴しているときなどはモニター通話機能にするといったような使用が可能であり、インターフォン機能としてだけでなく浴室の見守り機能としても役割を果たすインターフォンを提供することができる。
【００４９】
但し、図４に示すインターフォン装置のように表示手段７に「ハンズフリー」または「モニター」の現在の通話機能設定の状態を表示せず、ＬＥＤなどを点灯させたりＬＥＤの点灯色を変えたり点灯パターンを変えるなどの手段でも現在の通話機能設定の状態を表現することができるので、その効果は変わらない。
【００５０】
また、同様に、通話状態モード報知手段に、現在自分側のインターフォン装置が受話中であるのか、送話中であるのか、どちら側からでも送話可能な通話待ち中であるのかを表示しなくても、ＬＥＤなどを点灯させたりＬＥＤの点灯色を変えたり点灯パターンを変えるなどの手段でも現在の通話機能設定の状態を表現することができるので、その効果は変わらない。
【００５１】
（実施の形態２）
実施の形態２は、実施の形態１に加えて、ハンズフリー通話を自動終了する場合の実施例であり、その他の構成、動作は実施の形態１と同じである。
【００５２】
そこで以下では実施の形態２の構成、動作について、実施の形態１との相違点を中心に述べ、その他の構成、動作について実施の形態１と同じものとする。
【００５３】
図３はインターフォン装置の構成図の例を示すものであり、その構成は実施の形態１と同じである。また、通話方法をハンズフリー通話とインターフォン通話で切替えたり、ハンズフリー通話における送話と受話の切替えなどの方法も実施の形態１と同じである。
【００５４】
以上のように構成されたインターフォン装置において、その動作、作用について図３、図６、図７を用いて説明する。
【００５５】
マイク４から入力された音声が前記音声入力手段１４などで増幅され、前記音声入力検知手段１５により入力された音声レベルが所定のレベル以上であるならば、音声が入力されたことを制御手段１２に出力する。このとき前記制御手段１２は、前記通話検知手段１７によりどちらからも送話可能な通話待ち状態であることを確認し、つまり子機側も何も話していない状態であるならば、前記音声送信手段２３により増幅し入力された音声データを変調し子機側に送出する。
【００５６】
一方子機側では、通話検知手段１７によりどちらからも送話可能な通話待ち状態の時に、親機側から音声が入力されると音声受信手段２４で音声データを復調し、受話検知手段１６が親機側からの音声データの受信を検知して制御手段１２に出力する。制御手段１２では音声データ受信の信号を受けて、スピーカーの出力を消音しているミュート手段１８を操作し音声出力手段１９のミュートを解除しスピーカー３から親機側から話している言葉を出力する。
【００５７】
通話検知手段１７は親機、子機間の通話の有無を監視しており、このように親機側、子機側少なくともどちらかのマイクから音声が入力されているときには、親機側、子機側両方の通話検知手段１７は親機、子機間でインターフォン通話が行われていることを認識する。
【００５８】
そして親機側で話すのをやめると音声入力検知手段１５は音声の入力がないことを制御手段１２に出力し、前記制御手段１２は音声送信手段２３による出力を停止する。
【００５９】
一方子機側では受話検知手段１６で親機側からの音声信号を検知しないので親機側からの音声入力が停止したことを制御手段１２に出力する。前記制御手段１２はスピーカーからの出力を消音するためミュート手段１８により音声出力手段１９のミュートをオンにする。
【００６０】
このように、親機側、子機側どちらかのマイクからも音声が入力されていないときは、親機側、子機側両方の前記通話検知手段１７は親機、子機の間で通話がされていないことを検知する。
【００６１】
前記通話検知手段１７により親機、子機間の通話が無いことを検知すると、タイマー２１は通話が無くなってからの時間の測定を開始する。そして前記タイマー２１により測定した時間が、記憶手段２０に予め記憶しているハンズフリー通話を自動終了する時間の設定値を越えると、前記制御手段は通話を自動終了する。また自動終了する前に、ハンズフリー通話がもうすぐ終了することを利用者に報知する。例えば、前記記憶手段に記憶している親機子機間の通話がなくなってからハンズフリー通話を自動終了するまでの時間が３０秒に設定されていたとすると、タイマー２１のカウント時間が２５秒を経過すると、図６に示すように表示手段７に表示している「ハンズフリー」の表示を点滅させて、もうしばらくするとハンズフリーが自動終了することを利用者に報知する。
【００６２】
そしてタイマー２１のカウント時間が３０秒になると、図６において表示手段７に表示している「ハンズフリー」の報知を消したり、通話状態モード表示手段４１に表示しているイラストを消したり、図３において制御手段１２により音声入力検知手段１５がマイクからの入力を検知しても送話を行わないようにする。
【００６３】
また、ハンズフリー通話中に通話を自動終了するまでの時間は利用者によって設定変更することができる。図７は、利用者によってハンズフリー通話が自動終了するまでの時間を設定変更する画面の例の一例である。利用者が前記インターフォン装置の入力手段を使って所定の操作を行うことで、図７に示すような設定画面を表示手段７に表示する。前記表示手段７はタッチパネルを備えており前記表示手段７上に設置されているボタンのイラストなどを押すことで直接入力を行うことができる。
【００６４】
もちろんタッチパネルが設けられていないようなインターフォン装置の場合でも、インターフォン装置に設けれている入力手段を用いて設定を変更することが可能である。表示手段７上に設けられている入力手段６の矢印ボタンを操作し設定値を変更し、最後に確定ボタンを押すと制御手段１２の設定内容変更手段２２は前記記憶手段２０に記憶しているハンズフリーを自動終了する時間を変更し記憶する。
【００６５】
このように、前記通話検知手段により通話音声の有無を確認し、前記通話検知手段により親機、子機双方からの通話がなくなったことを検知し、通話がなくなってからの時間を前記タイマーで測定し、前記タイマーで測定した時間が予め前記記憶手段に記憶している設定値より長くなると通話は終了していると判断し、ハンズフリー通話を自動終了するので、通話を終了する際にも利用者は前記インターフォン装置を操作する必要がない。
【００６６】
また、前記設定内容変更手段により前記記憶手段に記憶しているハンズフリー通話機能を自動終了するまでの時間を、利用者が前記入力手段を使って変更することができるので、ハンズフリー通話が自動終了するまでの時間を短くしたり長くしたり、またはハンズフリーは自動終了しないといった設定まで可能にすることで、利用者の好みや使い勝手に合わせたインターフォン装置を提供することができる。
【００６７】
（実施の形態３）
実施の形態３は、実施の形態１、２に加えて、ハンズフリー通話が自動終了する前に利用者が自動終了する時間を延長できる機能を備える場合の実施例であり、その他の構成、動作は実施の形態１、２と同じである。
【００６８】
そこで以下では実施の形態３の構成、動作について、実施の形態１、２との相違点を中心に述べ、その他の構成、動作について実施の形態１、２と同じものとする。
【００６９】
図８は利用者によってハンズフリー通話を自動終了するまでの時間を延長する機能を備えたインターフォン装置の外観の例を示す図である。
【００７０】
以上のように構成されたインターフォン装置において、その動作、作用について図３、図８を用いて説明する。
【００７１】
実施の形態２では親機と子機の間で通話がなくなってからの経過時間をタイマー２１で測定し経過した時間が所定の時間以上になるとハンズフリー通話を自動終了するので、話している最中に突然通話機能が終了することはなかった。
【００７２】
実施の形態３では、利用者が相手側と通話をしようと通話スイッチ５を操作してからの経過時間をタイマー２１で測定し経過した時間が記憶手段２０に記憶している所定の時間を越えるとハンズフリー通話を自動終了するので、通話の有無に関わらず話している最中にも突然通話が終了してしまう場合がある。
【００７３】
親機または子機どちらかの通話スイッチ５が操作されると、タイマー２１は前記通話スイッチが操作されてからの時間の測定を開始する。そして前記タイマー２１により測定した時間が、記憶手段２０に予め記憶しているハンズフリー通話を自動終了する時間の設定値を越えると、前記制御手段は通話を自動終了する。また自動終了する前に、ハンズフリー通話がもうすぐ終了することを利用者に報知する。例えば、前記記憶手段に記憶している親機子機間の通話がなくなってからハンズフリー通話を自動終了するまでの時間が３０秒に設定されていたとすると、タイマー２１のカウント時間が２５秒を経過すると、図８に示すように表示手段７に表示している「ハンズフリー」の表示を点滅させて、もうしばらくするとハンズフリーが自動終了することを利用者に報知する。
【００７４】
そのとき利用者がまだ通話中であったり通話時間を延長したい場合は、図８において通話延長入力手段８１を操作することで、前記制御手段１２は、ハンズフリー通話を自動終了せずにさらにハンズフリー通話を自動終了するまでの時間を所定の時間だけ延長し、点滅していた「ハンズフリー」の表示を点灯に戻し、つまり利用者にしばらくするとハンズフリー通話が終了することを報知していた表示を元のハンズフリー通話状態の表示状態に戻す。
【００７５】
また、通話延長入力手段８１を設けずに自動終了するまでの時間を延長する手段として、前記タイマー２１により測定した時間が、記憶手段２０に予め記憶しているハンズフリー通話を自動終了する時間の設定値を越えると、前記制御手段は通話を自動終了する際に、親機または子機どちらかの音声入力検知手段１５がマイクから音声が入力されていることを検知し、前記制御手段１２が通話中であることを検出している場合は、図８に示すように表示手段７に表示している「ハンズフリー」の表示を点滅させて、もうしばらくするとハンズフリーが自動終了することは報知し続けるが、ハンズフリー通話を自動終了せずに、ハンズフリー通話状態を保持する。
【００７６】
そして、延長時間中に話者がしゃべるのをやめて前記音声入力検知手段１５が音声入力がなくなったことを検出すると、前記制御手段１２は通話が終了したと判断しハンズフリー通話を終了する。この方法では、利用者が特別入力手段などを使って操作しなくても勝手に通話が終了することがない。
【００７７】
このように、ハンズフリー通話が開始してからの時間を前記タイマーが測定し、所定の時間以上になりハンズフリー通話が自動終了する際に、前記表示手段にハンズフリー通話が終了することを報知またはハンズフリー通話の報知状態を変化させるので、ハンズフリー通話中に突然通話が終了し通話ができなくなるといった不具合を改善することができる。
【００７８】
また、ハンズフリー通話が開始してからの時間を前記タイマーが測定し、所定の時間以上になりハンズフリー通話が自動終了するまでの間に利用者が前記通話延長入力手段を操作することでハンズフリー通話が自動終了するまでの時間を延長することができるので、通話中に突然通話が終了してしまうといった不具合を改善できると共に、利用者が通話時間を延長できるので利用者の使い勝手を向上させることができる。
【００７９】
また、ハンズフリー通話が自動終了する際に、まだ通話の途中で、親機側または子機側どちらかが送話し相手側が受話している状態であり、前記制御手段が通話中であることを検出している場合は、ハンズフリー通話を自動終了せずに自動終了する時間を延長し、延長している時間中に前記制御手段が通話が終了したことを検知したらハンズフリー通話を自動終了するので、通話中に突然通話が終了してしまうといった不具合を改善できると共に、特に利用者がハンズフリー通話の自動終了の時間を延長するための操作を行わなくても、通話を検知している間はハンズフリー通話を終了しないので、利用者の使い勝手を向上させることができる。
【産業上の利用可能性】
【００８０】
本発明のインターフォン装置は、ハンズフリー通話機能と子機側の音声やその周りの音をモニターするモニター通話機能を両方備えるので、通話機能のみとしてだけでなく浴室やトイレなど比較的事故の起こりやすい場所の見守りの機能を備えるインターフォン装置又はその他のインターフォン機能付きリモコンとしての用途に応用できる。
【図面の簡単な説明】
【００８１】
【図１】第1の実施の形態におけるインターフォン装置の外観図
【図２】第１の実施の形態におけるインターフォン装置の構成図
【図３】第１の実施の形態における給湯機リモコンがインターフォン機能を備える場合のインターフォン装置の構成図
【図４】ハンズフリー通話中のインターフォン装置の画面を示す図
【図５】親機、子機どちらからも音声の入力がない場合の通話待ち中の画面表示を示す図
【図６】第２の実施の形態におけるハンズフリー通話中のインターフォン装置の画面を示す図
【図７】第２の実施の形態における設定値を変更する画面を示す図
【図８】第３の実施の形態におけるインターフォン装置の外観図
【符号の説明】
【００８２】
１  インターフォン装置（親機）
２  インターフォン装置（子機）
３  スピーカー
４  マイク
５  入力手段（通話スイッチ）
６  入力手段
７  表示手段
１２  制御手段
１３  通話方法切替え手段
１７  通話検知手段
２０  記憶手段
２１  タイマー
２２  設定内容変更手段
４１  通話状態モード報知手段
８１  通話延長入力手段
【図１】
2005354160.tif 000003
【図２】
2005354160.tif 000004
【図３】
2005354160.tif 000005
【図４】
2005354160.tif 000006
【図５】
2005354160.tif 000007
【図６】
2005354160.tif 000008
【図７】
2005354160.tif 000009
【図８】
2005354160.tif 000010